(57)【要約】【課題】簡単な構成の無端チェーンで、パレットの搬送速度を倍速化し、かつコンベア間のパレットの移載に際し、搬送最終端までパレットの搬送速度の倍速化を持続させて、パレットの移載を確実に行うことが可能なパレットコンベアを提供する。【解決手段】本発明のパレットコンベア１は、内外リングプレート１１，１２と、これらを連結するピン１３と、このピン１３に回転自在に軸支され、かつパレット３０が載置されるローラ１４から成る無端チェーン１０と、駆動源の駆動により回転し、無端チェーン１０に回転駆動を付与してこれを循環移動させる回転駆動付与手段５と、無端チェーン１０の内輪において、パレット３０の送り側の水平部と、パレット３０の搬送最終端側の湾曲部に配置され、当該無端チェーン１０を案内するとともに、前記ローラ１４を転動するガイドレール２０とを備えることを特徴とする。【選択図】  図２
2010228887.tif 000002
【特許請求の範囲】
【請求項１】
内外リングプレートと、これらを連結するピンと、このピンに回転自在に軸支され、かつパレットが載置されるローラから成る無端チェーンと、
駆動源の駆動により回転し、当該無端チェーンに回転駆動を付与してこれを循環移動させる回転駆動付与手段と、
前記無端チェーンの内輪において、パレットの送り側の水平部と、パレットの搬送最終端側の湾曲部に配置され、当該無端チェーンを案内するとともに、前記ローラを転動するガイドレールと
を備えることを特徴とするパレットコンベア。
【請求項２】
前記無端チェーンの外輪側において、戻り側の水平部にはサブガイドレールが配置されていることを特徴とする請求項１に記載のパレットコンベア。
【発明の詳細な説明】
【技術分野】
【０００１】
本発明は、無端チェーン搬送式のパレットコンベアにおいて、部品点数の少ない構成の無端チェーンで、パレットの搬送速度を倍速化し、かつコンベア間のパレットの移載に際し、搬送最終端までパレットを確実に搬送し、パレットの移載を円滑に行うことが可能なパレットコンベアに関する。
【背景技術】
【０００２】
従来から、パレットの搬送速度を倍速化し、かつコンベア間のパレットの移載を確実に行うことが可能な無端チェーン搬送式のパレットコンベアとしては、特許文献１（特許第３４１８８７７号公報）に示すものがある。この従来のパレットコンベア１０１は、図４に示すように、パレット１３０が載置され、これを搬送する無端チェーン１１０と、この無端チェーン１１０の内輪側に配置され、これを案内するガイドレール１２０と、この無端チェーン１１０に回転駆動を付与する駆動付与手段（図示せず）とから構成されている。
【０００３】
前記無端チェーン１１０は、内外リングプレート１１１，１１２と、これらを連結するピン１１３と、このピン１１３に軸支され、かつパレット１３０が載置される大径ローラ１１４ｂと、この大径ローラ１１４ｂと同心に配置され、前記ガイドレール１２０上を転動する小径ローラ１１４ａとから構成されている。この構成により、パレット１３０の重量が大径ローラ１１４ｂに加わったとき、両ローラ１１４ａ，１１４ｂが一体となって回転する。そのため、無端チェーン１１０の回転に伴い搬送されるパレット１３０には、推進力に加えて、小径ローラ１１４ａがガイドレール１２０上を転動することにより発生する駆動力が大径ローラ１１４ｂを介して伝達されるので、パレット１３０の搬送速度が倍速化する。
【０００４】
また、前記ガイドレール１２０は、無端チェーン１１０の内輪側において、パレット１３０の搬送路に平行な送り側の水平部と、パレットの搬送最終端側の湾曲部とに配置されている。この湾曲部にガイドレール１２０を備える構成により、パレット１３０の搬送速度の倍速化が搬送最終端まで持続する。そのため、コンベア間のパレット１３０の移載に際し、移載中、パレット１３０が停止してしまうような問題は皆無となり、移載を確実に行うことが可能となる。
【先行技術文献】
【特許文献】
【０００５】
【特許文献１】特許第３４１８８７７号公報
【発明の概要】
【発明が解決しようとする課題】
【０００６】
しかしながら、前記パレットコンベアにおいては、無端チェーンがローラを２個備えており、部品点数が多く製造コストの増加を招いていた。しかも、ガイドレール上を小径ローラが転動して得られる駆動力は、一旦、大径ローラを介してパレットに付与される。つまり、複数のローラを介して当該駆動力が伝達される構成により、小径ローラ、大径ローラ間で滑り現象が発生する可能性がある。この滑り現象により、実際にパレットに駆動力が付与されるまでにタイムラグが生じ、所望の時間でパレットを搬送することができなくなるばかりか、連設するコンベアにパレットを移載する場合、当該コンベアとの回転の整合に誤差が生じ、パレットの搬送を確実に行うことができない問題も有している。
【０００７】
本発明のパレットコンベアは、上記課題に鑑みて創成されたものであり、簡単な構成の無端チェーンで、パレットの搬送速度を倍速化し、かつコンベア間のパレットの移載に際し、搬送最終端までパレットの搬送速度の倍速化を持続させて、パレットの移載を確実に行うことが可能なパレットコンベアを提供することを目的とする。
【課題を解決するための手段】
【０００８】
本発明は、内外リングプレートと、これらを連結するピンと、このピンに回転自在に軸支され、かつパレットが載置されるローラから成る無端チェーンと、駆動源の駆動により回転し、当該無端チェーンに回転駆動を付与してこれを循環移動させる回転駆動付与手段と、前記無端チェーンの内輪において、パレットの送り側の水平部と、パレットの搬送最終端側の湾曲部に配置され、当該無端チェーンを案内するとともに、前記ローラを転動するガイドレールとを備えることを特徴とする。
【０００９】
また、前記無端チェーンの外輪側において、戻り側の水平部にはサブガイドレールが配置されていることを特徴とする。
【発明の効果】
【００１０】
請求項１に記載の発明によれば、ローラを１個だけ備える簡単な構成であって安価な無端チェーンで、パレットの搬送速度を倍速化し、かつコンベア間のパレットの移載に際し、搬送最終端までパレットの搬送速度の倍速化を持続させるので、パレットの移載を確実に行うことが可能となる。しかも、無端チェーンは駆動力を伝達するローラを１個しか備えておらず、ローラ間の滑り現象も発生しない。そのため、当該駆動力は、滑り現象等に阻まれることなく伝達されるので、伝達時間のタイムラグ等も発生せず、連設するコンベアとの回転も整合させることができ、パレットの搬送を所望の時間で確実に行うことができる。
【００１１】
請求項２に記載の発明によれば、無端チェーンの戻り側の水平部には、外輪側にサブガイドレールが配設されている。そのため、無端チェーンが経年使用により緩みが生じても、無端チェーンとローラとが非接触にならず、サブガイドレール上を無端チェーンのローラが転動するので、搬送速度の倍速化が衰えることもなくなる。
【図面の簡単な説明】
【００１２】
【図１】本発明のパレットコンベアの側面視要部断面図である。
【図２】図１のＡ−Ａ線拡大断面図である。
【図３】図２の要部拡大図である。
【図４】従来のパレットコンベアを示す要部拡大横断面図である。
【発明を実施するための形態】
【実施例】
【００１３】
以下、本発明を実施するための最良の形態を図面に基づいて説明する。図１において、１はパレットコンベアであり、パレット３０が載置され、これを搬送する無端チェーン１０と、フレーム３に取付けらて、当該無端チェーン１０を案内するガイドレール２０と、回転駆動手段（図示せず）の駆動に伴って回転する駆動軸４と一体に回転し、無端チェーン１０に噛合して回転駆動を付与する回転駆動付与手段の一例であるスプロケット５とから構成されている。なお、図１には、無端チェーン１０が１列しか図示されていないが、本発明のパレットコンベア１は、当該無端チェーン１０を平行に２列配置して、これらにパレット３０を載置するように構成されている。
【００１４】
前記無端チェーン１０は、図２および図３に示すように、内外リングプレート１１，１２と、これらを連結するピン１３と、このピン１３に回転可能に軸支され、かつパレット３０が載置されるローラ１４と、当該ピン１３とローラ１４との間に介在するブッシュ１５とから構成されている。
【００１５】
前記ガイドレール２０は、図１に示すように、無端チェーン１０の内輪側において、パレット３０の搬送路に平行な送り側（矢印Ｙ方向）の水平部に配設される水平ガイドレール２１と、パレット３０の搬送最終端側の湾曲部に配置される湾曲ガイドレール２２とから構成されている。また、前記無端チェーン１０の外輪側において、パレットの搬送路に平行な戻り側（矢印Ｘ方向）の水平部にはサブガイドレール２３が当該無端チェーン１０を案内するように配置されている。
【００１６】
前記湾曲ガイドレール２２は、無端チェーン１０の湾曲部に沿う外周を有するブロック部材であるが、これに代えて当該湾曲部に沿うレール状に構成されてもよい。ただし、ブロック状に形成することにより、レール状に形成されたものに比べて強度が増す。
【００１７】
また、水平ガイドレール２１と湾曲ガイドレール２２には、所定の隙間Ｈが空けられている。このように隙間Ｈを設けることにより、無端チェーン１０に過度のテンションが加わるのを防ぎ、無端チェーン１０の破損を防止する。
【００１８】
前記パレット３０は、図２および図３に示すように、ワーク等が載荷される載荷板３１と、この載荷板３１の背面に設けられ、かつ無端チェーン１０の長手方向に延びて当該無端チェーン１０のローラ１４に沿うように載置されるレール３２とを有している。このパレット３０の載荷板３１には、背面に、長手方向に延びる溝３３が削設されており、この溝３３には前記レール３２が嵌合されている。また、この溝３３の底面３３ａとレール３２との間には緩衝材３６が介在しており、この状態で、レール３２が載荷板３１の上面から３箇所をねじ３４によって当該載荷板３１に取付けられている。しかも、このねじ３４の脚部３４ａにはカラー３５が挿入されており、レール３２を溝３３に嵌合させた状態でねじ止する際、緩衝材３６が圧縮されて、レール３２が溝３３の底面３３ａに対して締付けられるのを防止するように構成されている。つまり、レール３２が載荷板３１に対して所謂フローティング機能を有するように取付けられている。
【００１９】
前記ローラ１４の径は、図２および図３に示すように、前記内外リングプレート１１，１２の縦方向の幅よりも小さく形成されている。そのため、無端チェーン１０は、長手方向に沿って、ガイドレール２０およびパレット３０のレール３２が嵌合するように構成されている。
【００２０】
前述のような構成のパレットコンベア１においては、駆動源の駆動によりスプロケット５が回転すると、無端チェーン１０は矢印Ｙ方向に循環し、これに伴い、無端チェーン１０に載置されたパレット３０が移送される。このとき、無端チェーン１０のローラ１４は、水平ガイドレール２１、湾曲ガイドレール２２およびサブガイドレール２３上を転動するので、パレット１０の搬送速度が倍速化する。その後、パレット３０は搬送最終端に到達し、ここに連設されたコンベア４０に移載される。このとき、本発明のパレットコンベア１は、無端チェーン１０の内輪において、湾曲部に、湾曲ガイドレール２２を備える構成により、パレット３０の搬送速度の倍速化が搬送最終端まで持続する。そのため、コンベア間のパレット３０の移載に際し、移載中、パレット３０が停止してしまうような問題は皆無となり、パレット３０の移載を確実に行うことが可能となる。しかも、図４に示す従来のパレットコンベア１０１に用いられる無端チェーン１１０は、ローラを２個備える構成であるのに対して、本発明のパレットコンベア１に用いられる無端チェーン１０は、ローラ１４を１個だけ備える構成である。そのため、部品点数が少なく安価な無端チェーン１０を用いたパレットコンベア１で、前述した倍速化、並びにパレット３０の確実な移載を実現することが可能となる。
【００２１】
また、本発明のパレットコンベア１においては、パレット３０の搬送中に発生する騒音および振動は、緩衝材３６の伸縮作用により低減される。しかも、ねじ３４の脚部３４ａにカラー３５が挿入されているので、ねじ３４でレール３２を溝３３に取付ける組立て作業段階、あるいはパレット３０の搬送中の振動等の影響により、レール３２が溝３３の底面３３ａに対して接触する方向に締付けられない。そのため、レール３２と溝３３の底面３３ａとの間に隙間が形成され、この隙間に緩衝材３６を介在させる構成により、当該緩衝材３６の伸縮作用を確実に発揮させ、騒音および振動を低減することができる。つまり、レール３２のフローティング作用を確実に発揮することができる。
【符号の説明】
【００２２】
１  パレットコンベア
３  フレーム
４  駆動軸
５  スプロケット
１０  無端チェーン
１１  内リングプレート
１２  外リングプレート
１３  ピン
１４  ローラ
１５  ブッシュ
２０  ガイドレール
２１  水平ガイドレール
２２  湾曲ガイドレール
２３  サブガイドレール
３０  パレット
３１  載荷板
３２  レール
３３  溝
３３ａ  底面
３４  ねじ
３４ａ  脚部
３５  カラー
３６  緩衝材
【図１】
2010228887.tif 000003
【図２】
2010228887.tif 000004
【図３】
2010228887.tif 000005
【図４】
2010228887.tif 000006